【手続補正書】
【提出日】平成17年8月5日(2005.8.5)
【手続補正１】
【補正対象書類名】明細書
【補正対象項目名】請求項１
【補正方法】変更
【補正の内容】
【請求項１】
伝送速度Ｎのシリアルなパルス列の光信号をパラレルなパルス列の電気信号に変換する光信号処理装置において、
前記シリアルなパルス列の光信号が入力され、出力側への接続を切り替えて、一方の出力側に伝送速度Ｎの整数分の一である伝送速度Ｍのパルス列の光信号を出力し、他方の出力側に残りのパルス列の光信号を出力する光スイッチを、少なくとも２個カスケード接続したシリアル−パラレル変換部と、
このシリアル−パラレル変換部の光スイッチごとに設けられ、前記光スイッチの一方の出力側からの光信号を電気信号に変換する受信部と、
この複数の受信部のうちの１個の受信部から出力される電気信号から、クロック信号を抽出し、このクロック信号で同期をとったタイミング信号を出力する同期回路と、
前記シリアル−パラレル変換部の光スイッチごとに設けられ、前記同期回路から出力されるタイミング信号に基づいて、前記光スイッチの接続を切り替えさせるドライバと
を設けたことを特徴とする光信号処理装置。
【手続補正２】
【補正対象書類名】明細書
【補正対象項目名】請求項３
【補正方法】変更
【補正の内容】
【請求項３】
伝送速度Ｎのシリアルなパルス列の光信号をパラレルなパルス列の電気信号に変換する光信号処理装置において、
前記シリアルなパルス列の光信号が入力され、出力側への接続を切り替えて、一方の出力側に伝送速度Ｎの整数分の一である伝送速度Ｍのパルス列の光信号を出力し、他方の出力側に残りのパルス列の光信号を出力する光スイッチを、少なくとも２個カスケード接続したシリアル−パラレル変換部と、
このシリアル−パラレル変換部の光スイッチごとに設けられ、前記光スイッチの一方の出力側からの光信号を電気信号に変換する受信部と、
前記シリアル−パラレル変換部の最終段の光スイッチの他方の出力側から出力される光信号の光パワーに対応した電気信号を出力する第２の受信部と、
この第２の受信部から出力される電気信号に基づいて、タイミング信号を出力する同期回路と、
前記シリアル−パラレル変換部の光スイッチごとに設けられ、前記同期回路から出力されるタイミング信号に基づいて、前記光スイッチの接続を切り替えさせるドライバと
を設けたことを特徴とする光信号処理装置。
【手続補正３】
【補正対象書類名】明細書
【補正対象項目名】０００３
【補正方法】変更
【補正の内容】
【０００３】
図５は、光時分割多重信号（以下、光ＴＤＭ信号と略す）を多重化される前の電気信号に分離する従来の光信号処理装置の構成図である（例えば、特許文献１）。図５において、光ファイバ１００は、光ＴＤＭ信号を伝送する。受信部１０は、例えば、高速のＰＩＮフォトダイオードであり、入力側が光ファイバ１００に接続される。同期回路１１は、入力側が受信部１０の出力側と接続される。電気分離（ＤＥＭＵＸ：demultiplexer）回路１２は、入力側が同期回路１１の出力側と接続される。
【手続補正４】
【補正対象書類名】明細書
【補正対象項目名】００１５
【補正方法】変更
【補正の内容】
【００１５】
【課題を解決するための手段】
請求項１記載の発明は、
伝送速度Ｎのシリアルなパルス列の光信号をパラレルなパルス列の電気信号に変換する光信号処理装置において、
前記シリアルなパルス列の光信号が入力され、出力側への接続を切り替えて、一方の出力側に伝送速度Ｎの整数分の一である伝送速度Ｍのパルス列の光信号を出力し、他方の出力側に残りのパルス列の光信号を出力する光スイッチを、少なくとも２個カスケード接続したシリアル−パラレル変換部と、
このシリアル−パラレル変換部の光スイッチごとに設けられ、前記光スイッチの一方の出力側からの光信号を電気信号に変換する受信部と、
この複数の受信部のうちの１個の受信部から出力される電気信号から、クロック信号を抽出し、このクロック信号で同期をとったタイミング信号を出力する同期回路と、
前記シリアル−パラレル変換部の光スイッチごとに設けられ、前記同期回路から出力されるタイミング信号に基づいて、前記光スイッチの接続を切り替えさせるドライバと
を設けたことを特徴とするものである。
【手続補正５】
【補正対象書類名】明細書
【補正対象項目名】００１７
【補正方法】変更
【補正の内容】
【００１７】
請求項３記載の発明は、
伝送速度Ｎのシリアルなパルス列の光信号をパラレルなパルス列の電気信号に変換する光信号処理装置において、
前記シリアルなパルス列の光信号が入力され、出力側への接続を切り替えて、一方の出力側に伝送速度Ｎの整数分の一である伝送速度Ｍのパルス列の光信号を出力し、他方の出力側に残りのパルス列の光信号を出力する光スイッチを、少なくとも２個カスケード接続したシリアル−パラレル変換部と、
このシリアル−パラレル変換部の光スイッチごとに設けられ、前記光スイッチの一方の出力側からの光信号を電気信号に変換する受信部と、
前記シリアル−パラレル変換部の最終段の光スイッチの他方の出力側から出力される光信号の光パワーに対応した電気信号を出力する第２の受信部と、
この第２の受信部から出力される電気信号に基づいて、タイミング信号を出力する同期回路と、
前記シリアル−パラレル変換部の光スイッチごとに設けられ、前記同期回路から出力されるタイミング信号に基づいて、前記光スイッチの接続を切り替えさせるドライバと
を設けたことを特徴とするものである。
【手続補正６】
【補正対象書類名】明細書
【補正対象項目名】００２６
【補正方法】変更
【補正の内容】
【００２６】
受信部２２ａ〜２２ｄは、例えば、高速のＰＩＮフォトダイオードであり、シリアル−パラレル変換部ＳＰの光スイッチ２０ａ〜２０ｄごとに設けられ、それぞれの入力側が光スイッチ２０ａ〜２０ｄの一方の出力側と接続される。クロック抽出部２３は、同期回路であり、入力側が受信部２２ａの出力側と接続される。クロック抽出部２３は、入力側が受信部２２ａの出力側と接続される。ドライバ２４ａ〜２４ｄは、光スイッチ２０ａ〜２０ｄごとに設けられ、それぞれの入力側がクロック抽出部２３の出力側と接続される。また、ドライバ２４ａ〜２４ｄは、それぞれの出力側が光スイッチ２０ａ〜２０ｄと電気的に接続される。
【手続補正７】
【補正対象書類名】明細書
【補正対象項目名】００２７
【補正方法】変更
【補正の内容】
【００２７】
光終端器２５は、入力側が最終段の光スイッチ２０ｄの他方の出力側と接続され、入力された光信号の終端処理を行う。データ再生部２６は、入力側が受信部２２ａ〜２２ｄ、クロック抽出部２３の出力側と接続される。
【手続補正８】
【補正対象書類名】明細書
【補正対象項目名】００３２
【補正方法】変更
【補正の内容】
【００３２】
そして、受信部２２ａ〜２２ｄが、１０［Ｇｂｐｓ］の光信号Ｓ１〜Ｓ４を電気信号に変換して、データ再生部２６に出力する。そして、データ再生部２６が、電気信号の変調方式、パルス幅の少なくとも一方を変更する。例えば、（１）ＮＲＺ（Non Return Zero）変調をＲＺ(Return Zero)変調に変換する。（２）パルス幅は４０［Ｇｂｐｓ］に合わせた狭い幅なので、４倍のパルス幅に広げる。（３）光ファイバ１００を伝送される間に、機械的歪や温度変化によってパルス間隔がずれている場合があるので、このずれを補正する。（４）なまっている波形を整形する、等を行う。
【手続補正９】
【補正対象書類名】明細書
【補正対象項目名】００３６
【補正方法】変更
【補正の内容】
【００３６】
このように、伝送速度が４０［Ｇｂｐｓ］の光ＴＤＭ信号を、カスケード接続された光スイッチ２０ａ〜２０ｄの個数分の一（１／４倍）の伝送速度まで落とした１０［Ｇｂｐｓ］の光信号Ｓ１〜Ｓ４に時間分離する。そして、この１０［Ｇｂｐｓ］の光信号Ｓ１〜Ｓ４を、受信部２２ａ〜２２ｄが電気信号に変換する。さらに、クロック抽出部２３、ドライバ２４ａ〜２４ｄが、受信部２２ａからの１０［Ｇｂｐｓ］の電気信号に同期して動作する。これにより、低速な電気信号で高速な光信号を時間分離し、電気信号に変換することができる。
【手続補正１０】
【補正対象書類名】明細書
【補正対象項目名】００３７
【補正方法】変更
【補正の内容】
【００３７】
また、最終段の光スイッチ２０ｄが、光信号Ｓ１〜Ｓ４の残渣を光終端器２５に出力するので、受信部２２ｄで検出する光信号Ｓ４のＳＮ比をあげることができる。
【手続補正１１】
【補正対象書類名】明細書
【補正対象項目名】００４５
【補正方法】変更
【補正の内容】
【００４５】
なお、本発明はこれに限定されるものではなく、以下のようなものでもよい。
（１）図１、図３に示す装置において、データ再生部２６が、クロック抽出部２３または同期回路２８からのタイミング信号に基づいて、受信部２２ａ〜２２ｄからの電気信号のデータ再生を行う構成を示したが、データ再生部２６を設けずに、受信部２２ａ〜２２ｄから電気信号を出力し、クロック抽出部２３または同期回路２８からタイミング信号を出力する構成としてもよい。例えば、２．５［Ｇｂｐｓ］の光信号が１６個多重された４０［Ｇｂｐｓ］の光ＴＤＭ信号の場合、受信部２２ａ〜２２ｄから出力される１０［Ｇｂｐｓ］の電気ＴＤＭ信号を、図５に示す従来の電気分離回路１２を用いて２．５［Ｇｂｐｓ］の電気信号に分離させる構成でもよい。
【手続補正１２】
【補正対象書類名】明細書
【補正対象項目名】００５３
【補正方法】変更
【補正の内容】
【００５３】
【発明の効果】
本発明によれば、以下のような効果がある。
伝送速度Ｎのシリアルなパルス列の光信号を、カスケード接続された光スイッチの個数分の一の伝送速度Ｍまで落とした光信号に時間分離する。そして、この伝送速度Ｍの光信号を、受信部が電気信号に変換する。または、第２の受信部が伝送速度Ｎの光信号の光パワーに対応した電気信号を出力する。さらに、
同期回路、ドライバが、受信部または第２の受信部からの電気信号に同期して動作する。これにより、低速な電気信号で高速な光信号を時間分離し、電気信号に変換することができる。